(57)【要約】本発明は回転ダイ・カッタに関する。本発明によるダイ・カッタは、ベンチと、このベンチの上に配設されてポリウレタン・シリンダ１のプーリの背部における摩擦によって動作するベルト６と、モータから延在する歯付きベルト７と、ダイホルダ・シリンダと共に電気軸の上に配設された可変速モータ８と、ポリウレタン・シリンダ１を引き上げるのに用いられるねじ１３を作動させるために使用される補助モータ９及びシャフト１１と、前記のポリウレタン・シリンダ１を引き上げるためのねじを含む減速ギヤボックス１０とを備えている。
2006507951.tif 000002
【特許請求の範囲】
【請求項１】
ポリウレタン保持シリンダ１が、ポリウレタン要素を固定するためのリング３及び３’を有するポリウレタン・リング全体２と共に組み立てられている台板１７と、ベアリングホルダ４、並びに歯付き駆動ベルト６を組み込んだゴム被覆されたプーリ５とから構成された、板紙シートの表面及び本体に対して作業を行うことを目的とする形式の回転ダイ・カッタであって、歯付きベルト６の外面が前記ポリウレタン・シリンダ１のプーリと協働して、前記ポリウレタン・シリンダ１を動かし、前記ダイ・カッタは又、歯付きベルト７をモータ８からプーリ５まで組み込み、前記モータ８はダイホルダ・シリンダを動かすシャフトを組み込み、前記ポリウレタン・シリンダ１の引き上げねじ１５を動かすためのモータ９とシャフト１１、並びに２つのギヤボックス１０を有し、ギヤボックス１０には、前記ポリウレタン・シリンダ１を引き上げるための引き上げねじ１５の１つが結合され、線形ベアリングを有するガイド上の２つの滑り板１２と、前記ポリウレタン・シリンダ１を軸方向にシフトするためのねじ１３及びモータ１３’と、前記シリンダ１に沿ってポリウレタン・リング２をシフトするときにポリウレタン・リング２を保持するストップを動かすための空気動シリンダ１４と、更に前記ポリウレタン・シリンダ１を引き上げるときにガイドを構成するカラム１６と、ダイホルダ・シリンダ１８とを有することを特徴とする回転ダイ・カッタ。
【請求項２】
前記ポリウレタン・シリンダ１が機械の幅を超える寸法を有し、フレームを貫通し、約４００ミリメートル軸方向にシフトすることを特徴とする請求項１に記載の回転ダイ・カッタ。
【請求項３】
前記ポリウレタン・リング２が仕切りのない円形リングとして構成され、９０°から９５°までのショア硬さを有するポリウレタンで被覆されたナイロンやプラスチックなどのリングとして構成された２つの区別された部分によって作られていることを特徴とする請求項１又は２に記載の回転ダイ・カッタ。
【発明の詳細な説明】
【技術分野】
【０００１】
本明細書は、２つのシリンダによって形成されて、そのうちの１つのシリンダにはダイが組み立てられ、他のシリンダにはポリウレタンが組み立てられ、軸方向のシフトが可能な機械の幅よりも著しく大きな長さを有するポリウレタン・シリンダを有し、２つの区別された部分によって形成されたリング要素として構成された２つのポリウレタン・リングを有する回転ダイ・カッタに対応する発明特許出願に関連するものである。
【０００２】
本発明は、一般にツール特にダイ・カッタの製造に供される業界内において、その適用分野を有する。
【背景技術】
【０００３】
段ボールなどの積層材料を切断する回転ダイ・カッタ用の機械は、基本的に２つのローラから構成され、そのうちの１つのローラはダイを保持して、一般に鋼製であるか又はポリウレタンで被覆された他のローラに対して働く。
【０００４】
ポリウレタンに対して作動が実施されると、ダイの鋼製ねじ山が表面に１ミリメートル又は２ミリメートルだけ食い込み、これが全体的に不規則な摩耗を生じさせることになる。
【０００５】
段ボール箱の製造に使用されるダイにおいては、シートを切断することを目的とする刃、並びに丸刃が存在し、丸刃はシートに折り目を付けるためにリブのない刃である。
【０００６】
ポリウレタンの不規則な摩耗は、丸刃が刃によって劣化した区域に当るときに不正確な折り目を作る。
【０００７】
上述のことは、要するにポリウレタンの摩耗における均一性の欠如を必然的に伴い、この様な摩耗は、シートの切断と折り目付けの両方において悪いダイ切断を生じさせ、こうして得られる製品の品質に関して問題をひき起こす。
【０００８】
上述の問題を軽減することを目的として機械製造業者によってなされる貢献の１つは、＋／−２０ミリメートル範囲の軸方向シフトをポリウレタン・シリンダに備えることから成り、これによって必然的に、周辺刃が常に同じ位置に当ることが防止される。
【０００９】
ポリウレタン表面を改善することを目的としてこの形式の機械に対して行われた別の活動又は改善は、切削ツールを使用して表面そのものを調整又は修正することから成り、シリンダ全体について痛んだ部品及び新しい部品の両方を減らすが、ポリウレタンの耐用寿命を著しく短くする。
【００１０】
現在、ポリウレタンは頻繁に交替され、これらのポリウレタンは分離されて両端部の一方からリングを除去することを可能にし、こうしてリングの残りをシフトし、これを他の端部に組み立て、こうして、これは摩耗と厚さの損失によるポリウレタンの耐用寿命の終わりに達するまで繰返し行われる。
【００１１】
これらのポリウレタン部分は、約２００ミリメートルの著しく細い帯であり、これらはシリンダを包囲して、シリンダの上に組み込まれたランナにおいて圧力によって保持され、これらのシリンダを除去するためにはレバーと小槌とが使用され、これらの作業を著しく不快なものにする。
【００１２】
円形刃がポリウレタンの上に当ったときに、これがその上に溝を作り、この溝は軸方向のシフトによって４センチメートルの帯となり、帯の回転によってすべての部分が同様な区域において最後には等しい摩耗で終るとすれば、ポリウレタン表面における均一な摩耗はこれらの方法と装置では達成されないことを指摘しなければならない。
【００１３】
この分野における現在の欠点に対する明白な解決策は、上記の異常が解決されるはずである回転ダイ・カッタを有することである。
【００１４】
しかし、本出願人は、上述の欠点を解決するための適当な機能を有する発明の現実の存在は知らない。
【発明の開示】
【発明が解決しようとする課題】
【００１５】
本発明が提案する回転ダイ・カッタは、従来のダイ・カッタに対して多くの利点を有し、上記の問題点を排除するように管理する。
【課題を解決するための手段】
【００１６】
具体的には、本発明の回転ダイ・カッタ主体は、その構成要素が中に組み込まれて、ポリウレタン保持シリンダにすることができるものなどの台板、シャシ、又はフレーム、全ポリウレタン・リング、ポリウレタン固定用のリング、ベアリングホルダ、ゴム被覆プーリなど、並びに直接関係のあるモータから構成されている。
【００１７】
本発明では、ポリウレタン・シリンダは機械の幅よりも著しく長く、フレームを貫通する品質を有し、軸方向に約４００ミリメートル、シフトすることができることを指摘しなければならない。
【００１８】
ポリウレタン・リングは従来の機械におけるように帯ではなく、２００〜２５０ミリメートルの仕切りのないリング又は円形環状要素であり、層における欠陥ダイ切断の防止と製造コストの低減を必然的に伴う。
【００１９】
リングの除去、シフト、及び組み立ては実質的に容易であり、小槌又はレバーの使用を必要としない。
【００２０】
ポリウレタン・リングは、リングの１つが９０°〜９５°の範囲にあるショア硬さを有するポリウレタンで被覆されたナイロンやプラスチックなどで作られると仮定して、２つの区別された部分によって作られ、リング全体として価格は著しく低下し、その製造は簡略化される。
【００２１】
上で行った説明を補足するため、及び本発明の特徴をさらによく理解できる様に、一組の図面が、本明細書の一体的部分として本明細書に添付されているが、下記に示される説明は例証的な性格のものであって、限定する性格のものではない。
【実施例】
【００２２】
これらの図から見て、上記の回転ダイ・カッタは、ポリウレタン保持シリンダ１が上に組み立てられている台板１７、並びにポリウレタン・リング全体２、ベアリングホルダ４を有するポリウレタンを固定するためのリング３及び３’、ゴム被覆プーリ５、歯付きベルト６、及びダイ保持シリンダ１８と共に電気的に動かされるシャフトを有する可変速モータ８から構成され、歯付きベルト６の外面はポリウレタン・シリンダ１のプーリと協働して前記シリンダ１を動かし、ダイ・カッタは組み込まれた歯付きベルト７を有し、歯付きベルト７は可変速モータ８によって動かされ、この可変速モータ８はゴム被覆プーリ５に作用し、ゴム被覆プーリ５は上述のように可変速モータ８を組み込んでいる。
【００２３】
本発明は、ポリウレタン・シリンダ１の引き上げねじ１５を動かすためのモータ９とシャフト１１、並びにポリウレタン・シリンダ１を引き上げるためのねじを有する２つのギヤボックス１０、線形ベアリングを有するガイド上の２つの滑り板１２、ポリウレタン・シリンダ１を軸方向にシフトするためのモータ１３’を有するねじ１３、空気動シリンダ１４であって、ポリウレタン・リングをシリンダとポリウレタン・シリンダ１の引き上げねじ１５とに沿ってシフトする場合にポリウレタン・リングを保持するストップを動かすための空気動シリンダ、及びポリウレタン・シリンダ１を引き上げるためのガイド・カラム１６を組み込んでいる。
【００２４】
サイクルはポリウレタン・ローラ１によって開始し、機械の動作中、ポリウレタン・シリンダ１は回転して、制御されてかつ非常に緩慢な方式で、操作者によって予め選択された前進移動と、機械の回転速度とに従って回転し軸方向にシフトする。
【００２５】
ポリウレタン・シリンダ１の軸方向のシフトは、線形ベアリングを有する線形ガイドの上で、速度が変化する交流モータによって動かされるねじによって実施され、ポリウレタン・シリンダ１がそのラン全体に沿ってシフトされると、機械は操作者のための警告信号を発し、機械を停止してポリウレタンを回転させるか否か、又はシリンダの軸方向を適切な位置に逆転するか否かを決定する。
【図面の簡単な説明】
【００２６】
【図１】前面又は入口区域から見た、本発明の回転ダイ・カッタ主体を示す図である。
【図２】位相位置の終わりにおける図１に示す主体を示す図である。
【図３】上の各図に示された主体の右側面図である。
【図４】変更のために下位置にある本発明の主体を示す図である。
【図１】
2006507951.tif 000003
【図２】
2006507951.tif 000004
【図３】
2006507951.tif 000005
【図４】
2006507951.tif 000006
【国際調査報告】
2006507951.tif 000007
2006507951.tif 000008
2006507951.tif 000009
2006507951.tif 000010